(57)【要約】      （修正有）【課題】外側から接着剤を注入して上板と下板とを接着する場合にも、接着剤の内部空間側への漏れを抑制できる便座を提供する。【解決手段】下板１００と、下板との間に内部空間を形成する上板２００と、下板と上板とを接着する接着部とを備え、下板は上面１３０と側端面１１０を有し、上面は側端面に沿って延びる周縁部１３２を有し、上板は下板と対向する内表面２２０を有し、上板の内表面の端部は、下板の側端面よりも側方に位置するとともに、下板の側端面の少なくとも一部よりも下方に位置し、上板の内表面は、側端面と対向して側端面との間に第１空間Ｓ１を形成し、上面の周縁部と対向して周縁部との間に第２空間Ｓ２を形成し、第１空間と第２空間との間に第３空間Ｓ３を形成し、接着部は、第１空間に設けられて下板及び上板を接着し、第３空間の下板と上板との間の幅は、第１空間の下板と上板との間の幅、及び第２空間の下板と上板との間の幅よりも狭い。【選択図】図４
2020054691.tif 000002
【特許請求の範囲】
【請求項１】
下板と、
前記下板の上に設けられ、前記下板との間に内部空間を形成する上板と、
前記下板と前記上板とを接着する接着部と、
を備え、
前記下板は、上方を向く上面と、側方を向く側端面と、を有し、
前記上面は、前記側端面に沿って延びる周縁部を有し、
前記上板は、前記下板と対向する内表面を有し、
前記上板の前記内表面の端部は、前記下板の前記側端面よりも前記側方に位置するとともに、前記下板の前記側端面の少なくとも一部よりも下方に位置し、
前記上板の前記内表面は、前記側端面と対向して前記側端面との間に第１空間を形成し、前記上面の前記周縁部と対向して前記周縁部との間に第２空間を形成するとともに、前記第１空間と前記第２空間との間に第３空間を形成し、
前記接着部は、前記第１空間に設けられ、前記側端面と前記内表面とによって、前記下板及び前記上板を接着し、
前記第３空間の前記下板と前記上板との間の幅は、前記第１空間の前記下板と前記上板との間の幅、及び前記第２空間の前記下板と前記上板との間の幅よりも狭いことを特徴とする便座。
【請求項２】
前記接着部は、前記第１空間に設けられた第１部分と、前記第２空間に設けられた第２部分と、を有することを特徴とする請求項１記載の便座。
【請求項３】
前記内表面の前記第３空間を形成する部分は、前記下板の前記第３空間を形成する部分と略平行であることを特徴とする請求項１又は２に記載の便座。
【請求項４】
前記周縁部は、平面状であり、
前記内表面は、前記周縁部と対向して前記第２空間を形成するとともに、前記周縁部と対向して前記第３空間を形成することを特徴とする請求項３記載の便座。
【発明の詳細な説明】
【技術分野】
【０００１】
本発明の態様は、一般的に、便座に関する。
【背景技術】
【０００２】
上板と下板とを組み合わせて接着することにより、中空形状の便座を形成することが行われている（例えば、特許文献１）。上板と下板との接着は、上板と下板とを組み合わせた状態で、上板と下板との間に設けられた隙間に外側から接着剤を注入することによって行われる。この際、接着剤が、中空形状の便座の内部空間側に漏れてしまうと、隙間に充填される接着剤の量が少なくなり、上板と下板との接着性を低下させてしまう可能性がある。
【０００３】
このため、上板と下板とを接着して形成する便座では、外側から接着剤を注入して上板と下板とを接着する場合にも、接着剤の内部空間側への漏れを抑制できるようにすることが望まれる。
【先行技術文献】
【特許文献】
【０００４】
【特許文献１】特開２０１３−１４１５６２号公報
【発明の概要】
【発明が解決しようとする課題】
【０００５】
本発明は、かかる課題の認識に基づいてなされたものであり、外側から接着剤を注入して上板と下板とを接着する場合にも、接着剤の内部空間側への漏れを抑制できる便座を提供することを目的とする。
【課題を解決するための手段】
【０００６】
第１の発明は、下板と、前記下板の上に設けられ、前記下板との間に内部空間を形成する上板と、前記下板と前記上板とを接着する接着部と、を備え、前記下板は、上方を向く上面と、側方を向く側端面と、を有し、前記上面は、前記側端面に沿って延びる周縁部を有し、前記上板は、前記下板と対向する内表面を有し、前記上板の前記内表面の端部は、前記下板の前記側端面よりも前記側方に位置するとともに、前記下板の前記側端面の少なくとも一部よりも下方に位置し、前記上板の前記内表面は、前記側端面と対向して前記側端面との間に第１空間を形成し、前記上面の前記周縁部と対向して前記周縁部との間に第２空間を形成するとともに、前記第１空間と前記第２空間との間に第３空間を形成し、前記接着部は、前記第１空間に設けられ、前記側端面と前記内表面とによって、前記下板及び前記上板を接着し、前記第３空間の前記下板と前記上板との間の幅は、前記第１空間の前記下板と前記上板との間の幅、及び前記第２空間の前記下板と前記上板との間の幅よりも狭いことを特徴とする便座である。
【０００７】
この便座によれば、第１空間と第２空間との間に第３空間を設けたことにより、第１空間に外側から接着剤を注入して接着部を設ける際に、接着部が第２空間及び内部空間に漏れてしまうことを抑制することができる。
【０００８】
第２の発明は、第１の発明において、前記接着部は、前記第１空間に設けられた第１部分と、前記第２空間に設けられた第２部分と、を有することを特徴とする便座である。
【０００９】
この便座によれば、第２空間に設けられた第２部分を設けることにより、下板と上板とをより適切に接着することができる。また、第３空間を設けていることにより、第２空間に第２部分を設けた場合にも、第２部分が第１空間側に漏れてしまうことを抑制することができる。すなわち、第１空間に外側から接着剤を注入する際に、第２部分が、接着剤の注入に影響を与えてしまうことを抑制することができる。
【００１０】
第３の発明は、第１又は第２の発明において、前記内表面の前記第３空間を形成する部分は、前記下板の前記第３空間を形成する部分と略平行であることを特徴とする便座である。
【００１１】
この便座によれば、内表面の第３空間を形成する部分と、下板の第３空間を形成する部分と、を略平行とすることにより、略平行な面に沿って下板と上板との位置がズレた場合にも、第３空間の幅が変化してしまうことを抑制することができる。これにより、下板と上板との位置ズレが生じた場合などにおいても、接着部が第２空間及び内部空間に漏れてしまうことを適切に抑制することができる。
【００１２】
第４の発明は、第３の発明において、前記周縁部は、平面状であり、前記内表面は、前記周縁部と対向して前記第２空間を形成するとともに、前記周縁部と対向して前記第３空間を形成することを特徴とする便座である。
【００１３】
この便座によれば、平面状の周縁部を略水平にして下板と上板を組み合わせる際に、水平方向に下板と上板との位置ズレが生じた場合にも、第３空間の幅が変化してしまうことを抑制することができる。これにより、下板と上板との位置ズレが水平方向に生じた場合などにおいても、接着部が第２空間及び内部空間に漏れてしまうことを適切に抑制することができる。これにより、下板と上板との位置ズレをより吸収し易くし、便座をより製造し易くすることができる。
【発明の効果】
【００１４】
本発明の態様によれば、外側から接着剤を注入して上板と下板とを接着する場合にも、接着剤の内部空間側への漏れを抑制できる便座が提供される。
【図面の簡単な説明】
【００１５】
【図１】実施形態に係る便座を備えたトイレ装置を模式的に表す斜視図である。
【図２】実施形態に係る便座を模式的に表す分解斜視図である。
【図３】実施形態に係る便座の一部を模式的に表す断面図である。
【図４】実施形態に係る便座の一部を模式的に表す拡大断面図である。
【図５】実施形態に係る便座の一部を模式的に表す拡大断面図である。
【発明を実施するための形態】
【００１６】
以下、実施形態について図面を参照しつつ説明する。なお、各図面中、同様の構成要素には同一の符号を付して詳細な説明は適宜省略する。  
図１は、実施形態に係る便座を備えたトイレ装置を模式的に表す斜視図である。  
図１に表したように、トイレ装置２は、便座装置４と、洋式腰掛便器（以下、単に「便器」という）６と、を備える。
【００１７】
便座装置４は、便器６の上に取り付けられる。便座装置４は、便器６に対して一体的に取り付けてもよいし、便器６に対して着脱可能に取り付けてもよい。便座装置４は、便座１０と、便蓋１２と、本体部１４と、を有する。
【００１８】
ここで、本願明細書においては、便座１０に座った使用者からみて上方を「上方」とし、便座１０に座った使用者からみて下方を「下方」とする。また、開いた状態の便蓋１２に背を向けて便座１０に座った使用者からみて左右方向を、それぞれ「左側方」及び「右側方」とし、前後方向を、それぞれ「前方」及び「後方」とする。図１には、上方ＵＷ、下方ＤＷ、左側方ＬＷ、右側方ＲＷ、前方ＦＷ、及び後方ＢＷの一例が表されている。
【００１９】
便器６は、下方に向けて窪んだボウル部６ａを有する。便器６は、ボウル部６ａにおいて使用者の尿や便などの排泄物を受ける。便座装置４の本体部１４は、便器６のボウル部６ａよりも後方の上部に設けられる。本体部１４は、便座１０及び便蓋１２を開閉可能に軸支している。
【００２０】
便座１０は、開口部１０ａを有する。便座１０は、ボウル部６ａの外縁を囲むように便器６の上に設けられ、開口部１０ａを介してボウル部６ａが露呈される。これにより、使用者は、便座１０に座った状態でボウル部６ａに排泄を行うことができる。この例では、貫通孔状の開口部１０ａが形成された、いわゆるＯ型の便座１０を示している。便座１０は、Ｏ型に限ることなく、Ｕ字型などでもよい。便座１０の内部には、着座部（使用者の臀部が接する部分）を温めるヒータ等が適宜設けられる。
【００２１】
図２は、実施形態に係る便座を模式的に表す分解斜視図である。  
図２に表したように、便座１０は、下板１００と、上板２００と、を備える。上板２００は、下板１００の上に設けられる。なお、ここでは、「上方」や「下方」などの方向は、便座１０の下板１００が水平面上に載置された状態（便器６の上に載置され、使用者が着座可能な状態）を基準にしている。
【００２２】
図２に表したように、下板１００及び上板２００は、それぞれ、開口部１００ａ及び開口部２００ａを有する。下板１００及び上板２００を上方から見た形状は、便座１０を上方から見た形状と実質的に同じである。すなわち、下板１００及び上板２００を上方から見た形状は、環状又はＵ字状である。下板１００の開口部１００ａ及び上板２００の開口部２００ａによって、便座１０の開口部１０ａが形成される。
【００２３】
図３は、実施形態に係る便座の一部を模式的に表す断面図である。  
図３は、図１のＡ１−Ａ２線断面を模式的に表す。  
図３に表したように、便座１０は、下板１００と上板２００とを接着する接着部３００、３２０をさらに備える。
【００２４】
接着部３００は、下板１００及び上板２００の内周側を接着する。接着部３２０は、下板１００及び上板２００の外周側を接着する。ここで、「内周側」とは、開口部１０ａ、１００ａ、２００ａに向かう側であり、「外周側」とは、開口部１０ａ、１００ａ、２００ａに向かう側と反対の側である。
【００２５】
接着部３００は、例えば、下板１００及び上板２００の内周側を略全周に亘って環状に接着する。接着部３２０は、例えば、下板１００及び上板２００の外周側を略全周に亘って環状に接着する。これにより、下板１００と上板２００との間に隙間が生じることを抑制し、下板１００と上板２００とを適切に接着することができる。
【００２６】
なお、便座１０の便座装置４に軸支されるヒンジ部分の構造は、使用者が着座する便座１０の本体部分の構造と異なってもよい。例えば、外周側の接着部３２０は、ヒンジ部分には設けられていなくてもよい。
【００２７】
下板１００は、例えば、平板状である。上板２００は、例えば、上凸状に湾曲した板状である。上板２００は、換言すれば、下方に開口する断面略Ｕ字状の板状である。これにより、上板２００は、下板１００との間に内部空間ＳＰを形成する。下板１００及び上板２００は、接着部３００、３２０によって互いに接着されることにより、内部空間ＳＰを有する中空状の便座１０を形成する。
【００２８】
上板２００は、下板１００よりも一回り大きく形成されている。上板２００の内周側の端部は、下板１００の内周側の端部よりも内周側に位置する。上板２００の外周側の端部は、下板１００の外周側の端部よりも外周側に位置する。
【００２９】
接着部３００は、下板１００の内周側の端部と上板２００の内周側の端部との間に設けられる。接着部３００は、例えば、下方のみに露出し、上方及び内周側には露出しない。これにより、便座１０の意匠性を高めることができる。また、接着部３００（下板１００と上板２００との合わせ目）が便座１０に着座した使用者の臀部や脚部などに接触してしまうことを抑制し、便座１０の座り心地を高めることもできる。
【００３０】
接着部３２０は、下板１００の外周側の端部と上板２００の外周側の端部との間に設けられる。接着部３２０は、例えば、下方のみに露出し、上方及び外周側には露出しない。これにより、便座１０の意匠性をさらに高めることができる。
【００３１】
図４は、実施形態に係る便座の一部を模式的に表す拡大断面図である。  
図４は、図３の囲み線Ｂの部分を拡大して模式的に表す。すなわち、図４は、便座１０の断面の内周側の部分を拡大して模式的に表している。
【００３２】
図４に表したように、上板２００は、外表面２１０と、内表面２２０と、を有する。外表面２１０は、内周側に向かうに従って下方に下がるように上凸状に湾曲した湾曲部２１２を有する。内表面２２０は、下板１００と対向する。
【００３３】
また、上板２００は、例えば、底面２３０をさらに有する。底面２３０は、外表面２１０の下端と内表面２２０の下端とを接続する。底面２３０は、換言すれば、上板２００の下端である。底面２３０は、例えば、略水平面である。
【００３４】
下板１００は、側端面１１０と、底面１２０と、上面１３０と、を有する。上面１３０は、上方を向く。上面１３０は、上板２００の内表面２２０と対向する。側端面１１０は、側方を向く。換言すれば、側端面１１０は、内周側を向く面である。また、側端面１１０は、例えば、下板１００の開口部１００ａを形成する部分である。側端面１１０は、例えば、略鉛直方向に延びる。但し、側端面１１０は、鉛直方向に対して傾斜していてもよい。側端面１１０は、少なくとも鉛直方向（上下方向）に延び、内周側を向く部分を有していればよい。
【００３５】
側端面１１０の下端は、例えば、底面１２０と連続する。換言すれば、側端面１１０の下端の上下方向の位置は、底面１２０の上下方向の位置と略同一である。なお、便座１０の下側を向く面（便器６と対向する面）には、便器６の上面（リム面）に当接する複数の脚部（クッション部）が設けられる場合がある（例えば図２参照）。底面１２０の上下方向の位置とは、このような脚部を除いた部分における上下方向の位置である。
【００３６】
上板２００の底面２３０は、例えば、下板１００の底面１２０と略面一である。このように、上板２００の下端の上下方向の位置は、下板１００の側端面１１０の下端の上下方向の位置と同程度に設定される。上板２００の底面２３０の上下方向の位置は、下板１００の底面１２０の上下方向の位置と略同一又は下板１００の底面１２０よりも上方に設定される。
【００３７】
また、この例において、湾曲部２１２の下端２１２ａの上下方向の位置は、上板２００の下端の上下方向の位置と略同一である。換言すれば、この例において、外表面２１０の下端は、湾曲部２１２の下端２１２ａである。
【００３８】
但し、外表面２１０の下端は、必ずしも湾曲部２１２の下端２１２ａでなくてもよい。外表面２１０は、例えば、湾曲部２１２の下端２１２ａから鉛直下方に延びる部分をさらに有していてもよい。
【００３９】
上板２００の内表面２２０の内周側の端部２２２は、下板１００の側端面１１０よりも内周側（側端面１１０の向く側方側）に位置するとともに、下板１００の側端面１１０の少なくとも一部よりも下方に位置する。
【００４０】
上板２００の内表面２２０は、外周側を向き、下板１００の側端面１１０と対向する対向部２２４を有する。対向部２２４は、端部２２２を上記のように配置することよって、内表面２２０に設けられる。
【００４１】
下板１００の上面１３０は、側端面１１０に沿って延びる周縁部１３２を有する。換言すれば、周縁部１３２は、下板１００の内周縁に沿って延びる。周縁部１３２は、例えば、平面状である。換言すれば、周縁部１３２は、１つの平面と略平行な面である。周縁部１３２は、例えば、水平面状である。従って、周縁部１３２が水平となるように下板１００を載置した場合、周縁部１３２の高さは、実質的に一定である。周縁部１３２の一部は、開口部１００ａを挟んで反対側の周縁部１３２の別の一部と略面一である。ここで、略平行とは、例えば、互いに向き合う２つの面の間の距離の差が、２つの面の全体に亘って２ｍｍ以下の状態である。また、略面一とは、例えば、２つの面の高さの差が、２ｍｍ以下の状態である。
【００４２】
周縁部１３２は、例えば、下板１００の側端面１１０（内周縁）に沿って環状に延びる。周縁部１３２は、例えば、下板１００の内周縁の全周に亘って設けられる。但し、周縁部１３２は、必ずしも全周に設ける必要は無く、内周縁に沿う周方向の一部に途切れた部分を有していてもよい。上面１３０は、例えば、内周縁に沿って並ぶ複数の周縁部１３２を有してもよい。この場合、複数の周縁部１３２は、同一平面上に並ぶ。換言すれば、複数の周縁部１３２は、略面一である。なお、複数の周縁部１３２において、複数の周縁部１３２の内の一部が略面一で、一部とは異なる別の一部同士が略面一であるような構成であってもよい。換言すれば、複数の周縁部１３２は、第１群と第２群とを有してもよい。第１群に含まれる複数の周縁部１３２は、互いに略面一である。第２群に含まれる複数の周縁部１３２は、第１群の複数の周縁部１３２とは異なる高さに設定され、かつ互いに略面一である。また、複数の周縁部１３２は、高さの異なる２つ以上の群を有してもよい。
【００４３】
上板２００の内表面２２０は、周縁部１３２と対向する対向部２２６を有する。対向部２２６は、例えば、上板２００の内周縁に沿って延び、周縁部１３２と略平行な平面状である。対向部２２６は、例えば、水平面状である。対向部２２６は、例えば、上板２００の内周縁に沿って環状に延びる。対向部２２６は、例えば、上板２００の内周縁の全周に亘って設けられる。但し、対向部２２６は、周縁部１３２と同様に、内周縁に沿う周方向の一部に途切れた部分を有してもよい。内表面２２０は、例えば、上面１３０と同様に、内周縁に沿って並ぶ複数の対向部２２６を有してもよい。
【００４４】
また、上板２００の内表面２２０は、周縁部１３２と対向する対向部２２８をさらに有する。対向部２２８は、対向部２２４と対向部２２６との間に設けられる。換言すれば、対向部２２８は、対向部２２６よりも内周側に設けられる。対向部２２８は、対向部２２６よりも下方に突出し、周縁部１３２との間の距離を狭くする。対向部２２８は、例えば、上板２００の内周縁に沿って延び、周縁部１３２と略平行な平面状である。以下、対向部２２８は、対向部２２６と同様であるから、詳細な説明は省略する。
【００４５】
これにより、上板２００の内表面２２０は、側端面１１０と対向して側端面１１０との間に第１空間Ｓ１を形成し、上面１３０の周縁部１３２と対向して周縁部１３２との間に第２空間Ｓ２を形成するとともに、第１空間Ｓ１と第２空間Ｓ２との間に第３空間Ｓ３を形成する。内表面２２０は、周縁部１３２と対向して第３空間Ｓ３を形成する。
【００４６】
第１空間Ｓ１は、換言すれば、側端面１１０と対向部２２４との間の空間である。第２空間Ｓ２は、換言すれば、周縁部１３２と対向部２２６との間の空間である。そして、第３空間Ｓ３は、換言すれば、周縁部１３２と対向部２２８との間の空間である。
【００４７】
前述のように、対向部２２８は、周縁部１３２と略平行である。従って、内表面２２０の第３空間Ｓ３を形成する部分（対向部２２８）は、下板１００の第３空間Ｓ３を形成する部分（周縁部１３２）と略平行である。
【００４８】
第３空間Ｓ３の下板１００と上板２００との間の幅Ｗ３は、第１空間Ｓ１の下板１００と上板２００との間の幅Ｗ１、及び第２空間Ｓ２の下板１００と上板２００との間の幅Ｗ２よりも狭い。
【００４９】
幅Ｗ１は、換言すれば、側端面１１０と対向部２２４との間の距離である。幅Ｗ２は、換言すれば、周縁部１３２と対向部２２６との間の距離である。幅Ｗ３は、換言すれば、周縁部１３２と対向部２２８との間の距離である。
【００５０】
内周側の接着部３００は、第１空間Ｓ１（下板１００の側端面１１０と上板２００の内表面２２０の対向部２２４との間）に設けられる。これにより、接着部３００は、上板２００によって上方を覆われるとともに、側端面１１０及び対向部２２４によって側方を覆われ、下方のみに露出する。接着部３００は、側端面１１０と対向部２２４とによって、下板１００及び上板２００の内周側を接着する。
【００５１】
また、接着部３００は、第２空間Ｓ２（周縁部１３２と対向部２２６との間）にも設けられている。接着部３００は、周縁部１３２と対向部２２６とにおいても下板１００と上板２００とを接着する。
【００５２】
接着部３００は、例えば、第１部分３０１と、第２部分３０２と、を有する。第１部分３０１は、第１空間Ｓ１に設けられた部分である。第２部分３０２は、第２空間Ｓ２に設けられた部分である。
【００５３】
この例では、第１部分３０１の一部が第３空間Ｓ３に入り込むとともに、第２部分３０２の一部が第３空間Ｓ３に入り込み、第３空間Ｓ３内において第１部分３０１と第２部分３０２が接している。これに限ることなく、第２部分３０２は、第１部分３０１と離間していてもよい。第１部分３０１及び第２部分３０２は、第３空間Ｓ３に入り込まなくてもよい。
【００５４】
第２部分３０２の材料は、例えば、第１部分３０１の材料と異なる。第１部分３０１には、例えば、エポキシ樹脂などの接着剤が用いられる。第２部分３０２には、例えば、合成ゴムなどのホットメルト系粘着剤が用いられる。但し、第２部分３０２の材料は、第１部分３０１の材料と同じでもよい。
【００５５】
下板１００及び上板２００には、例えば、ユリア樹脂やメラミン樹脂などの熱硬化性樹脂が用いられる。下板１００及び上板２００には、例えば、ポリプロピレンなどの熱可塑性樹脂を用いてもよい。また、接着部３００の材料は、接着や粘着によって接着するものに限ることなく、例えば、溶着によって下板１００と上板２００とを接着するものでもよい。この場合、例えば、接着部３００に下板１００及び上板２００と同種の樹脂材料などを用いてもよい。
【００５６】
図５は、実施形態に係る便座の一部を模式的に表す拡大断面図である。  
図５は、図３の囲み線Ｃの部分を拡大して模式的に表す。すなわち、図５は、便座１０の断面の外周側の部分を拡大して模式的に表している。
【００５７】
図５に表したように、上板２００は、例えば、外表面２１０の外周側の下端と内表面２２０の外周側の下端とを接続する底面２３２をさらに有する。底面２３２は、換言すれば、上板２００の外周側の下端である。底面２３２は、例えば、略水平面である。
【００５８】
下板１００は、側端面１１２をさらに有する。側端面１１２は、側方を向く。換言すれば、側端面１１２は、外周側を向く面である。側端面１１２は、例えば、略鉛直方向に延びる。但し、側端面１１２は、鉛直方向に対して傾斜していてもよい。側端面１１２は、少なくとも鉛直方向（上下方向）に延び、外周側を向く部分を有していればよい。
【００５９】
側端面１１２の下端は、例えば、底面１２０と連続する。換言すれば、側端面１１２の下端の上下方向の位置は、底面１２０の上下方向の位置と略同一である。
【００６０】
上板２００の底面２３２は、例えば、下板１００の底面１２０と略面一である。このように、上板２００の外周側の下端の上下方向の位置も、下板１００の側端面１１２の下端の上下方向の位置と同程度に設定される。上板２００の底面２３２の上下方向の位置は、下板１００の底面１２０の上下方向の位置と略同一又は下板１００の底面１２０よりも上方に設定される。
【００６１】
上板２００の内表面２２０外周側の端部２４０は、下板１００の側端面１１２よりも外周側（側端面１１２の向く側方側）に位置するとともに、下板１００の側端面１１２の少なくとも一部よりも下方に位置する。
【００６２】
上板２００の内表面２２０は、内周側を向き、下板１００の側端面１１２と対向する対向部２４２を有する。対向部２４２は、端部２４０を上記のように配置することよって、内表面２２０に設けられる。
【００６３】
下板１００の上面１３０は、側端面１１２に沿って延びる周縁部１３４を有する。換言すれば、周縁部１３４は、下板１００の外周縁に沿って延びる。周縁部１３４は、例えば、平面状である。換言すれば、周縁部１３４は、１つの平面と略平行な面である。周縁部１３４は、例えば、水平面状である。従って、周縁部１３４が水平となるように下板１００を載置した場合、周縁部１３４の高さは、実質的に一定である。周縁部１３４の一部は、開口部１００ａを挟んで反対側の周縁部１３４の別の一部と略面一である。
【００６４】
周縁部１３４は、例えば、下板１００の側端面１１２（外周縁）に沿って環状に延びる。周縁部１３４は、例えば、下板１００の外周縁の全周に亘って設けられる。但し、周縁部１３４は、必ずしも全周に設ける必要は無く、外周縁に沿う周方向の一部に途切れた部分を有していてもよい。上面１３０は、例えば、外周縁に沿って並ぶ複数の周縁部１３４を有してもよい。この場合、複数の周縁部１３４は、同一平面上に並ぶ。換言すれば、複数の周縁部１３４は、略面一である。なお、内周側の周縁部１３２と同様に、複数の周縁部１３４において、複数の周縁部１３４の内の一部が略面一で、一部とは異なる別の一部同士が略面一であるような構成であってもよい。
【００６５】
上板２００の内表面２２０は、周縁部１３４と対向する対向部２４４を有する。対向部２４４は、例えば、上板２００の外周縁に沿って延び、周縁部１３４と略平行な平面状である。対向部２４４は、例えば、水平面状である。対向部２４４は、例えば、上板２００の外周縁に沿って環状に延びる。対向部２４４は、例えば、上板２００の外周縁の全周に亘って設けられる。但し、対向部２４４は、周縁部１３４と同様に、外周縁に沿う周方向の一部に途切れた部分を有してもよい。内表面２２０は、例えば、上面１３０と同様に、外周縁に沿って並ぶ複数の対向部２４４を有してもよい。
【００６６】
また、上板２００の内表面２２０は、周縁部１３４と対向する対向部２４６をさらに有する。対向部２４６は、対向部２４２と対向部２４４との間に設けられる。換言すれば、対向部２４６は、対向部２４４よりも外周側に設けられる。対向部２４６は、対向部２４４よりも下方に突出し、周縁部１３４との間の距離を狭くする。対向部２４６は、例えば、上板２００の外周縁に沿って延び、周縁部１３４と略平行な平面状である。以下、対向部２４６は、対向部２４４と同様であるから、詳細な説明は省略する。
【００６７】
これにより、上板２００の内表面２２０は、側端面１１２と対向して側端面１１２との間に第４空間Ｓ４（外周側の第１空間）を形成し、上面１３０の周縁部１３４と対向して周縁部１３４との間に第５空間Ｓ５（外周側の第２空間）を形成するとともに、第４空間Ｓ４と第５空間Ｓ５との間に第６空間Ｓ６（外周側の第３空間）を形成する。内表面２２０は、周縁部１３４と対向して第６空間Ｓ６を形成する。
【００６８】
第４空間Ｓ４は、換言すれば、側端面１１２と対向部２４２との間の空間である。第５空間Ｓ５は、換言すれば、周縁部１３４と対向部２４４との間の空間である。そして、第６空間Ｓ６は、換言すれば、周縁部１３４と対向部２４６との間の空間である。
【００６９】
前述のように、対向部２４６は、周縁部１３４と略平行である。従って、内表面２２０の第６空間Ｓ６を形成する部分（対向部２４６）は、下板１００の第６空間Ｓ６を形成する部分（周縁部１３４）と略平行である。
【００７０】
第６空間Ｓ６の下板１００と上板２００との間の幅Ｗ６は、第４空間Ｓ４の下板１００と上板２００との間の幅Ｗ４、及び第５空間Ｓ５の下板１００と上板２００との間の幅Ｗ５よりも狭い。
【００７１】
幅Ｗ４は、換言すれば、側端面１１２と対向部２４２との間の距離である。幅Ｗ５は、換言すれば、周縁部１３４と対向部２４４との間の距離である。幅Ｗ６は、換言すれば、周縁部１３４と対向部２４６との間の距離である。
【００７２】
外周側の接着部３２０は、第４空間Ｓ４に設けられる。これにより、接着部３２０は、上板２００によって上方を覆われるとともに、側端面１１２及び対向部２４２によって側方を覆われ、下方のみに露出する。接着部３２０は、側端面１１２と対向部２４２とによって、下板１００及び上板２００の外周側を接着する。
【００７３】
また、接着部３２０は、第５空間Ｓ５にも設けられている。接着部３２０は、周縁部１３４と対向部２４４とにおいても下板１００と上板２００とを接着する。
【００７４】
接着部３２０は、例えば、第３部分３２３と、第４部分３２４と、を有する。第３部分３２３は、第４空間Ｓ４に設けられた部分である。第４部分３２４は、第５空間Ｓ５に設けられた部分である。
【００７５】
この例では、第３部分３２３の一部が第６空間Ｓ６に入り込むとともに、第４部分３２４の一部が第６空間Ｓ６に入り込み、第６空間Ｓ６内において第３部分３２３と第４部分３２４が接している。これに限ることなく、第４部分３２４は、第３部分３２３と離間していてもよい。第３部分３２３及び第４部分３２４は、第６空間Ｓ６に入り込まなくてもよい。
【００７６】
第４部分３２４の材料は、例えば、第３部分３２３の材料と異なる。第３部分３２３には、例えば、内周側の接着部３００の第１部分３０１と実質的に同じ材料が用いられる。第４部分３２４には、例えば、内周側の接着部３００の第２部分３０２と実質的に同じ材料が用いられる。
【００７７】
便座１０の製造においては、例えば、上板２００の対向部２２６に粘着剤の第２部分３０２を塗布するとともに、対向部２４４に粘着剤の第４部分３２４を塗布し、上板２００に下板１００を接着する。これにより、下板１００と上板２００とを第２部分３０２及び第４部分３２４によって仮止めし、下板１００と上板２００とを位置決めする。
【００７８】
この後、側端面１１０と対向部２２４との間に接着剤である第１部分３０１を充填するとともに、側端面１１２と対向部２４２との間に接着剤である第３部分３２３を充填することにより、下板１００と上板２００とを本固定する。
【００７９】
これにより、例えば、ユリア樹脂やメラミン樹脂などの熱硬化性樹脂を下板１００及び上板２００に用いた場合にも、下板１００と上板２００とを確実且つ効率的に接着することができ、便座１０の製造性を向上させることができる。
【００８０】
以上、説明したように、本実施形態に係る便座１０では、第１空間Ｓ１と第２空間Ｓ２との間に第３空間Ｓ３を設けたことにより、第１空間Ｓ１に外側から接着剤を注入して内周側の接着部３００を設ける際に、接着部３００が第２空間Ｓ２及び内部空間ＳＰに漏れてしまうことを抑制することができる。同様に、第４空間Ｓ４と第５空間Ｓ５との間に第６空間Ｓ６を設けたことにより、第４空間Ｓ４に外側から接着剤を注入して外周側の接着部３２０を設ける際に、接着部３２０が第５空間Ｓ５及び内部空間ＳＰに漏れてしまうことを抑制することができる。
【００８１】
なお、上記実施形態では、便座１０の内周側に第３空間Ｓ３を設けるとともに、便座１０の外周側に第６空間Ｓ６を設けている。幅を狭くする空間（第３空間）は、必ずしも内周側及び外周側の双方に設ける必要は無く、少なくとも一方に設けられていればよい。以下、第６空間Ｓ６は、第３空間Ｓ３と同様である。
【００８２】
便座１０では、第２空間Ｓ２に設けられた第２部分３０２を設けることにより、下板１００と上板２００とをより適切に接着することができる。また、第３空間Ｓ３を設けていることにより、第２空間Ｓ２に第２部分３０２を設けた場合にも、第２部分３０２が第１空間Ｓ１側に漏れてしまうことを抑制することができる。すなわち、第１空間Ｓ１に外側から接着剤を注入する際に、第２部分３０２が、接着剤の注入に影響を与えてしまうことを抑制することができる。
【００８３】
また、便座１０では、内表面２２０の第３空間Ｓ３を形成する部分（対向部２２８）と、下板１００の第３空間Ｓ３を形成する部分（周縁部１３２）と、を略平行とすることにより、略平行な面に沿って下板１００と上板２００との位置がズレた場合にも、第３空間Ｓ３の幅Ｗ３が変化してしまうことを抑制することができる。これにより、下板１００と上板２００との位置ズレが生じた場合などにおいても、接着部３００が第２空間Ｓ２及び内部空間ＳＰに漏れてしまうことを適切に抑制することができる。
【００８４】
また、便座１０では、周縁部１３２が、平面状であり、内表面２２０は、周縁部１３２と対向して第２空間Ｓ２を形成するとともに、周縁部１３２と対向して第３空間Ｓ３を形成する。これにより、平面状の周縁部１３２を略水平にして下板１００と上板２００を組み合わせる際に、水平方向に下板１００と上板２００との位置ズレが生じた場合にも、第３空間Ｓ３の幅Ｗ３が変化してしまうことを抑制することができる。これにより、下板１００と上板２００との位置ズレが水平方向に生じた場合などにおいても、接着部３００が第２空間Ｓ２及び内部空間ＳＰに漏れてしまうことを適切に抑制することができる。これにより、下板１００と上板２００との位置ズレをより吸収し易くし、便座１０をより製造し易くすることができる。
【００８５】
上記実施形態では、内表面２２０が、周縁部１３２と対向して第３空間Ｓ３を形成している。これに限ることなく、内表面２２０は、例えば、側端面１１０と対向して第３空間Ｓ３を形成してもよい。但し、第３空間Ｓ３の構成は、上記に限ることなく、第１空間Ｓ１と第２空間Ｓ２との間に設けられ、第１空間Ｓ１及び第２空間Ｓ２よりも幅を狭くする任意の構成でよい。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や便座１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
２ トイレ装置、  ４ 便座装置、  ６ 便器、  １０ 便座、  １２ 便蓋、  １４ 本体部、  １００ 下板、  １００ａ 開口部、  １１０ 側端面、  １１２ 側端面、  １２０ 底面、  １３０ 上面、  １３２ 周縁部、  １３４ 周縁部、  ２００ 上板、  ２００ａ 開口部、  ２１０ 外表面、  ２１２ 湾曲部、  ２１２ａ 下端、  ２２０ 内表面、  ２２２ 端部、  ２２４ 対向部、  ２２６ 対向部、  ２２８ 対向部、  ２３０ 底面、  ２３２ 底面、  ２４０ 端部、  ２４２ 対向部、  ２４４ 対向部、  ２４６ 対向部、  ３００ 接着部、  ３０１ 第１部分、  ３０２ 第２部分、  ３２０ 接着部、  ３２３ 第３部分、  ３２４ 第４部分
【図１】
2020054691.tif 000003
【図２】
2020054691.tif 000004
【図３】
2020054691.tif 000005
【図４】
2020054691.tif 000006
【図５】
2020054691.tif 000007